(57)【要約】【課題】  従来のサッシ窓補助錠は、ガラス部分を破壊されると外部から簡単に解除されてしまう欠陥があったので、その場合でも外部からは容易に解除されない補助錠を考案した。【解決手段】  板の鋭角先端部を外框と内框の隙間に差込む事と、あわせてバネと滑り止めとにより、本補助錠を外框と枠（内）の立ち上がりとの空間に確実強固に設置する事で課題を解決した。【選択図】  図３
0003106839.tif 000002
【実用新案登録請求の範囲】
【請求項１】
鋭角の先端部を有する板の鋭角の先端部を引違いサッシ窓の上部下部の外框と内框との隙間に差し込むバネ式サッシ窓補助錠において、バネ並びに滑り止めにより、前記補助錠を外框と枠の立ち上がりに挟まれた溝状空間に固定させ、開窓しようとした時に、鋭角の先端部に内障子の内框を乗り上げさせる事により開窓を不可能にさせる事を特徴とするバネ式サッシ窓補助錠である。
【考案の詳細な説明】
【考案の詳細な説明】
【産業上の利用分野】
【０００１】  本考案はサッシ窓補助錠に関し、なかでもピッキング盗対策用の補助錠に関する。
【背景技術】
【０００２】  従来、ネジにより固定する補助錠が使用されている。
【考案が解決しようとする課題】
【０００３】  従来使用されている錠や補助錠は、サッシ窓のガラス部分を破壊すれば、外部より容易に解除されてしまうという問題があった。
【０００４】  本考案は上記の課題に鑑み、ガラス部分を破壊し外部から解除しようとしても、解除する事が著しく困難な補助錠を提供する事を目的とする。
従って、短時間で錠を解除しようとするピッキング盗に対して、十二分の効力を有するものである。
【課題を解決するための手段】
【０００５】  鋭角の先端部が外框と内框との隙間に十分に差し込まれている事、バネ並びに滑り止めにより堅固に固定されている事、鋭角の先端部に内障子の内框が乗り上げて更に堅固に固定されている事などにより、窓ガラスを破壊しての外部からの本考案の補助錠の解除は十分に排除されている。
かつ、下框だけでなく上框にも本補助錠を設置する事により、その効果は飛躍的に増大する。
【作用】
【０００６】  鋭角の先端部に内障子の内框を乗り上げさせる事により、開窓を不可能にする。
【実施例】
【０００７】  本考案の一実施例に係るバネ式サッシ窓補助錠を図１〜図３により説明する。図１は立面図、図２は横面図、図３はサッシ窓に設置した立面図である。
バネ式サッシ窓補助錠１の板２の一端は鋭角（角度θは１°〜１０°）の斜面である。板２と板３はそれぞれバネ４と結合して一体化している。板２と板３の外側にはそれぞれ滑り止め（５と６）が接着されている。
板２の鋭角斜面は、サッシ窓の外框と内框の隙間に差し込まれるのに十分な先鋭であり、滑り止め（５と６）は、本補助錠がバネの力と相まって滑らないだけの摩擦力を保持している。【０００８】  次にバネ式サッシ窓補助錠により、引違いサッシ窓の開窓を不可能にする動作について図３により説明する。
先ず、本補助錠を板２の説角先端を窓の外框と内框との隙間に差込み、バネ４を押し縮め、板２と板３を近接させ並行状態にして、外框７と枠の立ち上がり９とに挟まれた溝状空間に押入れ、本補助錠を固定させる。
【考案の効果】
【０００９】  本考案により、外障子１０側からでも内障子１１側からでも、開窓しようとした場合、内框８は板２の鋭角先端部斜面に乗り上げる状態になり、外框７と枠（内）の立ち上がり９とに強く挟まれて、内障子１１は可動不可能になり、開窓不可能の結果となる。その場合外框７も板２と枠（外）の立ち上がり１０とに同様に挟まれて外障子１２も可動不可能になり、開窓不可能になる。
更に、本補助錠１は、
【０００５】に記載したとうり堅固に固定されているので、ガラス部分を破壊して、サッシ窓の外部より本補助錠１を取り除く事は極めて困難である。従って、ピッキング盗対策用補助錠として非常に有効である。
【図面の簡単な説明】
【図１】  本考案のバネ式サッシ窓補助錠の立面図である。
【図２】  本考案のバネ式サッシ窓補助錠の横面図である。
【図３】  本考案のバネ式サッシ式補助錠の一実施例に係る立面図である。
【符号の説明】
１・・・・・・バネ式サッシ窓補助錠
２、３・・・・板
４・・・・・・バネ
５，６・・・・滑り止め
７・・・・・・サッシ窓外框
８・・・・・・サッシ窓内框
９・・・・・・サッシ窓枠（内）の立ち上がり
１０・・・・・サッシ窓枠（外）の立ち上がり
１１・・・・・サッシ窓内障子
１２・・・・・サッシ窓外障子
【図１】
0003106839.tif 000003
【図２】
0003106839.tif 000004
【図３】
0003106839.tif 000005
【手続補正書】
【提出日】平成16年9月3日(2004.9.3)
【手続補正１】
【補正対象書類名】実用新案登録請求の範囲
【補正対象項目名】請求項１
【補正方法】変更
【補正の内容】
【請求項１】
第１の面を有する第１の部材と、第２の面を有する第２の部材と、バネとから構成されるバネ式サッシ窓補助錠であって、第１の面は尖鋭な端部と大きい摩擦係数を有し、第２の面は大きい摩擦係数を有し、前記バネは第１の面と第２の面とが相反して外側に面するようにして第１の部品及び第２の部品に係合することを特徴とするバネ式サッシ窓補助錠。
【手続補正３】
【補正対象書類名】明細書
【補正対象項目名】全文
【補正方法】変更
【補正の内容】
【考案の詳細な説明】
【産業上の利用分野】
【０００１】  本考案はバネ式サッシ窓補助錠に関し、なかでもピッキング盗対策用のバネ式サッシ窓補助錠に関する。
【背景技術】
【０００２】  従来、ネジにより固定する補助錠が使用されていた。
【考案が解決しようとする課題】
【０００３】  従来使用されている補助錠は、施錠にはネジ止めの作業を必要とし、サッシ窓のガラス部分を破壊すれば、外部より容易に解錠することができた。
【０００４】  本考案は上記の課題に鑑み、施錠が容易に可能であると共に、施錠されたサッシ窓のガラス部分を破壊し外部から解除することが極めて困難である補助錠を提供する事を目的とする。
【課題を解決するための手段】
【０００５】課題を解決するために、第１の面を有する第１の部材と、第２の面を有する第２の部材と、バネとから構成されるバネ式サッシ窓補助錠であって、第１の面は尖鋭な端部と大きい摩擦係数を有し、第２の面は大きい摩擦係数を有し、前記バネは第１の面と第２の面とが相反して外側に面するようにして第１の部材及び第２の部材と係合することを特徴とするバネ式サッシ窓補助錠を構成した。
（以下バネ式サッシ窓補助錠を単に補助錠と記することがある）
【作用】
【０００６】  補助錠を敷居の内枠の立上りと外框の内側とのなす溝に設置し、内框と外框との何れか又は両方が移動した時、補助錠の尖鋭な端部が内框と外框との間に挟み込まれ内框と外框との移動を不可能とする。
【実施例】
【０００７】  本考案の一実施例に係るバネ式サッシ窓補助錠を図１〜図５により説明する。
図１は一実施例の平面図、図２は一実施例の側面図、図３は一実施例の引違いサッシ窓の敷居に設置された状態を上方からみた俯瞰図、図４は引違いサッシ窓のレール方向に直角の断面図、及び図５は一実施例の引違いサッシ窓の敷居に設置された状態のレール方向に直角の断面図である。
補助錠１の板２はほぼ矩形であり、長さは５０〜７０ｍｍ、幅は１０〜１５ｍｍ、厚みは３〜５ｍｍである。その面２ａ、２ｂは平面でかつ互いにほぼ平行である。面２ｂは辺側に鋭角の斜面２ｃを有し、面２ａと面２ｃとは辺２ｄで尖鋭な角度θ１°〜１０°の楔形状の辺２ｄをなし、サッシ窓の外框７と内框８の隙間７ｄに容易に差し込み可能となっている。面２ａには極めて薄い硬質ゴム製の滑り止め５が接着されている硬質ゴム製の滑り止め５は通常のサッシ窓の材料例えばアルミニウム合金に対して極めて大きい摩擦係数を有し、隙間７ｄに辺２ｄが差し込まれたとき板２と外框７とがずれ動かないのに充分な摩擦力を有している。
板３はほぼ矩形であり、長さは３０〜５０ｍｍ、幅は１０〜１５ｍｍ、厚みは３〜５ｍｍである。その面３ａ、３ｂは平面でかつ互いにほぼ平行である。面３ａには硬質ゴム製の滑り止め６が接着され、隙間７ｄに辺２ｄが差し込まれたとき板３と敷居内枠の立上がり９とがずれ動かないのに充分な摩擦力を有している。
バネ４は長方形の平バネ鋼を強く「く」の字状にその角度α１５〜３０°に折り曲げたものであり、部位４ａで板２の部位２ｅと固設されていている。又部位４ｂで板３の部位３ｅと蝶番状に開閉するように固設されていて、板２、バネ４、板３は一体となっている。
敷居２１の両側には敷居内枠の立上がり９と敷居外枠の立上がり１０があり、両者の間に内框レール２１ａと外框レール２１ｂとが敷設されている。内障子１１の内框８の底面には内框レール溝８ｃが、外障子１２の外框７の底面には外框レール溝７ｃとがそれぞれ削設され、内框レール溝８ｃが内框レール２１ａと、外框レール溝７ｃが外框レール２１ｂとがそれぞれ嵌合しており、内障子１１と外障子１２とは隙間７ｄを介し引き違いに移動可能となっている。しかしながら内障子１１は内框レール２１ａに、又外障子１２は外框レール２１ｂに遮られレールと直角の方向には移動不可能である。
板３に接着する滑り止め６は内枠９の立上り９ａに相対している。補助錠１のバネ４は押圧されるとその角度βは角度αより小さくなり、従って外側に開こうとする弾性力が作用する。【０００８】  次に補助錠が開窓動作を阻止することについて説明する。
まず補助錠１を設置する。補助錠１を敷居２１の内枠の立上り９の面９ａと外框７の内側７ａとの間に構成される溝に、板３が面９ａの中側に来るようにバネ４を抑圧し、板２に接着している滑り止め５を外框７の内側７ａに接し、辺２ｄを敷居２１にほぼ垂直にし内框８の端部８ａに当接させ、隙間に可能な限り押しいれて固定する。
次に内框８と外框７の何れか又は両方が障子を開ける方向に移動すると、補助錠１の板２の面５は滑り止めされているから外框７に対して摩擦が大きく相対的に移動することができない。すると板２が辺２ｄの部分で更に強く隙間７ｄに差し込まれて、楔形状の効果で内框８と外框７とをほぼ直角方向に互いに離反させようとする力が発生する。
しかしながら内框８は内框レール溝８ｃで、又外框７は外框レール溝７ｃでレールとそれぞれ直角の方向の移動が不可能であるから、前記直角方向に互いに離反させようとする力は内框８と外框７との移動を阻止する力となる。
さらに面５及び面６は滑り止めされているから、補助錠１は外框７及び敷居２１の内枠９に対し相対的に移動するこができず、内框８と外框７との移動を阻止する力を削減することはない。
このようにして開窓は不可能となる。
又補助錠１は敷居２１の内枠の立上り９の内面９ａと外框７の内側７ａとの間に押圧されているのでガラスを破損しても容易に除去することはできない。
尚補助錠１は外框７と内框レール２１ａの間に設置可能である。【０００９】  本考案の第２の実施例に係るバネ式サッシ窓補助錠を図６及び図７により説明する。一実施例と同一部材には同一部番を付し、同一又は類似事項についての説明は省略する。
図６は第２の実施例の平面図、及び図７は第２の実施例の引違いサッシ窓の敷居に設置さた時の立面図である。
補助錠１の板２は辺２ｄを有している。板２と板３には滑り止めが施されている。板２と板３とは変形可能な紐２３で互いに結合されている。バネ２２は平バネ鋼製の円筒で、板２に固設されている。
補助錠１が敷居に設置さる前にはバネ２２は板３と接触していないが、設置さた時にはバネ２２は板３と接触し圧縮されて断面は長円となる。【００１０】  本考案の第３の実施例に係るバネ式サッシ窓補助錠を図８及び図９により説明する。
図８は第３の実施例の平面図、及び図９は第３の実施例の補助錠が引き違いサッシ窓の敷居に設置された時の平面図である。
補助錠１の板２４は辺２ｄを有している。板２４には突起状の滑り止め２４ａが複数設けられている。複数の２４ａの先端は全て辺２ｄと同一平面上にある。又板２４の滑り止め２４ａが設けられている面の反対側の面２４ｂには、溝状の凹部２４ｃが設けられている。板２５には突起状の滑り止め２５ａが複数設けられている。複数の２４ａの先端は同一平面上にある。又板２５の滑り止め２５ａが設けられている面の反対側の面２５ｂには、溝状の凹部２５ｃが設けられている。バネ２６は平バネ鋼製の円筒である。
補助錠１が敷居に設置される前にはバネ２６は板２と板３とに接触していないが、設置された時にはバネ２６は板２と板３とに接触し圧縮されて断面は長円となる。【００１１】  補助錠は敷居のみならず鴨居側に設置することもでき、敷居が湾曲している特殊な場合は補助錠の構成部材の形状はそれに適合させることができる。
【考案の効果】
【００１２】  本考案により、補助錠が設置されたとき開窓は不可能であり、又ガラス部分を破壊して、サッシ窓の外部より補助錠を取り除く事は極めて困難である。従って、ピッキング盗対策用補助錠として有効である。
【図面の簡単な説明】
【図１】  本考案の一実施例の立面図である。
【図２】  本考案の一実施例の側面図である。
【図３】  本考案の一実施例が引違いサッシ窓の敷居に設置された状態を上方からみた俯瞰図である。
【図４】  本考案の一実施例の引違いサッシ窓のレール方向に直角の断面図である。
【図５】  本考案の一実施例が引違いサッシ窓の敷居に設置された状態のレール方向に直角の断面図である。
【図６】  本考案の第２の実施例の立面図である。
【図７】  本考案の第２の実施例の引違いサッシ窓の敷居に設置された時の立面図である。
【図８】  本考案の第３の実施例の立面図である。
【図９】  本考案の第３の実施例の引違いサッシ窓の敷居に設置された時の立面図である。
【符号の説明】
１・・・・・・バネ式サッシ窓補助錠
２，３・・・・板
２ａ・・・・・板２の面
３ａ・・・・・板３の面
４・・・・・・バネ
５，６・・・・滑り止め
７・・・・・・サッシ窓外框
７ｃ・・・・・外框７のレール溝
７ｄ・・・・・外框７と内框８との隙間
８・・・・・・サッシ窓内框
８ｃ・・・・・内框８のレール溝
９・・・・・・サッシ窓敷居内枠の立上がり
１０・・・・・サッシ窓敷居外枠の立上がり
１１・・・・・サッシ窓内障子
１２・・・・・サッシ窓外障子
２１・・・・・サッシ窓敷居
２１ａ・・・・２１の内框レール
２１ｂ・・・・２１の外框レール
２２・・・・・バネ
２３・・・・・変形可能な紐
２４・・・・・板
２５・・・・・板
２６・・・・・バネ
【手続補正４】
【補正対象書類名】図面
【補正対象項目名】全図
【補正方法】変更
【補正の内容】
【図１】
0003106839.tif 000006
【図２】
0003106839.tif 000007
【図３】
0003106839.tif 000008
【図４】
0003106839.tif 000009
【図５】
0003106839.tif 000010
【図６】
0003106839.tif 000011
【図７】
0003106839.tif 000012
【図８】
0003106839.tif 000013
【図９】
0003106839.tif 000014